(57)【要約】【課題】グループ学習に適した学習支援装置を実現する。【解決手段】親機１２１０は、データ収集機１２５０で実験の計測データを取得し、子機１３００に配信する。子機１３００のユーザである生徒は、子機１３００が受信した計測データをグラフ表示するとともに、計測データの回帰式を求めて解析をする。子機１３００は、解析結果データを親機１２１０に送信する。親機１２１０は、受信した解析結果データを分類し、この分類結果に基づいて子機１３００をグループ分けする。そして、グループ分けの結果を子機１３００に配信する。【選択図】  図１２
2004354725.tif 000002
【特許請求の範囲】
【請求項１】
計測データを解析する複数の子機と通信回線を介して接続する通信手段と、
計測データを収集する収集手段と、
前記収集手段によって収集された計測データを、前記各子機に送信する計測データ送信手段と、
前記各子機において解析された解析結果情報を前記子機毎に受信する解析結果情報受信手段と、
この受信した解析結果情報を分類し、分類結果に基づいて前記各子機をグループ分けするグループ分け手段と、
このグループ分けの結果情報を、前記各子機に送信するグループ分け結果情報送信手段と、
を備えることを特徴とする学習支援装置。
【請求項２】
請求項１に記載の学習支援装置において、
前記解析結果情報は、前記計測データ送信手段によって送信された計測データを当該子機で解析した結果の情報であり、解析結果のグラフを描画するためのグラフデータを含み、
前記グループ分け手段は、前記受信した解析結果情報に含まれるグラフデータを比較することによって解析結果情報を分類する手段である、
ことを特徴とする学習支援装置。
【請求項３】
計測データを解析する複数の子機と通信回線を介して接続する通信手段と、
計測データを収集する収集手段と、
前記通信手段を介して接続されている子機をグループに分けて登録する登録手段と、
前記収集手段によって収集された計測データを、前記各子機に送信する計測データ送信手段と、
前記各子機において解析された解析結果情報を前記子機毎に受信する解析結果情報受信手段と、
この受信した解析結果情報を前記グループ毎に集計するグループ集計手段と、
このグループ集計手段によって集計された集計結果情報を、前記各子機に送信する集計結果情報送信手段と、
を備えることを特徴とする学習支援装置。
【請求項４】
請求項３に記載の学習支援装置において、
前記グループ集計手段は、グループ毎の集計結果を更にグループ間で比較するための２次集計をする手段を有することを特徴とする学習支援装置。
【請求項５】
請求項３又は４に記載の学習支援装置において、
前記解析結果情報は、前記計測データ送信手段によって送信された計測データを当該子機で解析した結果の情報であり、解析結果のグラフを描画するためのグラフデータを含み、
前記グループ集計手段は、前記受信した解析結果情報に含まれるグラフデータを比較することによって解析結果情報を前記グループ毎に集計する手段である、
ことを特徴とする学習支援装置。
【請求項６】
グラフ描画するためのグラフデータを生成する機能を有する複数のグラフ作成装置と通信回線を介して接続する通信手段と、
前記各グラフ作成装置からグラフデータを受信するグラフデータ受信手段と、
この受信したグラフデータを分類し、分類結果に基づいて前記各グラフ作成装置をグループ分けするグループ分け手段と、
このグループ分けの結果情報を、前記グラフ作成装置に送信するグループ分け結果情報送信手段と、
を備えることを特徴とする学習支援装置。
【請求項７】
コンピュータに、
計測データを解析する複数の子機と通信回線を介して接続する通信機能と、
計測データを収集する収集機能と、
前記収集機能によって収集された計測データを、前記各子機に送信する計測データ送信機能と、
前記各子機において解析された解析結果情報を前記子機毎に受信する解析結果情報受信機能と、
この受信した解析結果情報を分類し、分類結果に基づいて前記各子機をグループ分けするグループ分け機能と、
このグループ分けの結果情報を、前記各子機に送信するグループ分け結果情報送信機能と、
を実現させるためのプログラム。
【請求項８】
コンピュータに、
計測データを解析する複数の子機と通信回線を介して接続する通信機能と、
計測データを収集する収集機能と、
前記通信機能を介して接続されている子機をグループに分けて登録する登録機能と、
前記収集機能によって収集された計測データを、前記各子機に送信する計測データ送信機能と、
前記各子機において解析された解析結果情報を前記子機毎に受信する解析結果情報受信機能と、
この受信した解析結果情報を前記グループ毎に集計するグループ集計機能と、
このグループ集計機能によって集計された集計結果情報を、前記各子機に送信する集計結果情報送信機能と、
を実現させるためのプログラム。
【請求項９】
コンピュータに、
グラフ描画するためのグラフデータを生成する機能を有する複数のグラフ作成装置と通信回線を介して接続する通信機能と、
前記各グラフ作成装置からグラフデータを受信するグラフデータ受信機能と、
この受信したグラフデータを分類し、分類結果に基づいて前記各グラフ作成装置をグループ分けするグループ分け機能と、
このグループ分けの結果情報を、前記グラフ作成装置に送信するグループ分け結果情報送信機能と、
を実現させるためのプログラム。
【発明の詳細な説明】
【０００１】
【発明の属する技術分野】
本発明は、計測データを解析する複数の子機と通信回線を介して接続する通信手段と、計測データを収集する収集手段と、を備える学習支援装置等に関する。
【０００２】
【従来の技術】
従来から、学校の授業や試験及び個人学習等において利用される学習支援装置や学習支援システムが知られている。
例えば、学校教育現場における学習支援システムでは、サーバを中心としたネットワークが形成されており、生徒（学習者）が電卓やパソコン等の情報端末を学習支援システムのネットワークに接続することによって、サーバ等から授業に用いる各種データや試験問題等を取得するとともに、取得したデータを自身の情報端末で解析をしたり、試験問題を解くといったことができる。学習支援システムを用いて理科実験の授業を行った場合、生徒は情報端末のコンピュータに、実験データの演算をさせてグラフ描画をさせることが可能なので、生徒が手作業でデータの演算やグラフを描く必要が無くなる。そのため、時間当りの作業効率を高め、同じ授業時間でもより多くの内容の実験を行うことができるようになる。
【０００３】
また、学習支援システムの中には、生徒毎の試験問題の解答をサーバ等で集計して、学習分野毎の成績評価及び志望受験校の合格基準に基づいて補強すべき学習分野（弱点分野）を分析し、補強すべき学習分野の教材を自動的に情報端末に提供するものも知られている（例えば、特許文献１参照。）。この学習支援システムによれば、生徒は情報端末から目標とする志望受験校の合格のために必要な学習教材を、試験の結果に基づいて自動的に入手できるので効率的に学習を進めることができる。
【０００４】
【特許文献１】
特開２００２−２０２７１１号公報
【０００５】
【発明が解決しようとする課題】
ところで、学校教育で実践されている学習では、生徒（学習者）個別の作業のみではなく、他の同級生（他の学習者）らとの情報交換や討論のなかで考察する力を身につける作業が行われている。所謂グループ学習である。しかし、上述のような従来の学習支援装置や学習支援システムでは、学習者個人個人が情報端末毎で効率的な学習を進めるための情報を提供することはできるが、他人との比較をするための情報を提供することはできない。そのため、例えば、理科の実験で実験データの分析結果の情報交換をしようとした場合、誰が自分と同じデータ分析をして誰が異なる分析をしたかを一々尋ねて歩かねばならないなど、グループ学習をするうえでは不便があった。
【０００６】
本発明は、こうした課題を鑑みて成されたものであり、グループ学習に適した学習支援装置を実現することを目的とする。
【０００７】
【課題を解決するための手段】
上記の課題を解決するために、請求項１に記載の発明は、計測データを解析する複数の子機と通信回線を介して接続する通信手段（例えば、図１のデータ収集機１２５０、データ転送ケーブルＫ、図２の通信制御部１６、第２通信制御部４８）と、計測データを収集する収集手段（例えば、図１のデータ収集機１２５０、計測プローブ１２５８、図２の計測部５４、計測器５６）と（例えば、図１の親機１２００）、前記収集手段によって収集された計測データを、前記各子機に送信する計測データ送信手段（例えば、図１のデータ収集機１２５０、データ転送ケーブルＫ、図２の通信制御部１６、第２通信制御部４８、図９のステップＳ１４）と、前記各子機において解析された解析結果情報を前記子機毎に受信する解析結果情報受信手段（例えば、図１のデータ収集機１２５０、データ転送ケーブルＫ、図２の通信制御部１６、第２通信制御部４８、図９のステップＳ３２）と、この受信した解析結果情報を分類し、分類結果に基づいて前記各子機をグループ分けするグループ分け手段（例えば、図２のＣＰＵ１０、図９のステップＳ３６）と、このグループ分けの結果情報を、前記各子機に送信するグループ分け結果情報送信手段（例えば、図１のデータ収集機１２５０、データ転送ケーブルＫ、図２の通信制御部１６、第２通信制御部４８、図９のステップＳ４２）と、を備えることを特徴とする。
【０００８】
また、請求項７に記載の発明のプログラムは、コンピュータに、計測データを解析する複数の子機と通信回線を介して接続する通信機能（例えば、図２のＣＰＵ１０、通信制御部１６、第２通信制御部４８、図９のステップＳ２〜Ｓ６）と、計測データを収集する収集機能（例えば、図２のＣＰＵ１０、図９のステップＳ１０〜Ｓ１２）と、前記収集機能によって収集された計測データを、前記各子機に送信する計測データ送信機能（例えば、図２のＣＰＵ１０、図９のステップＳ１４）と、前記各子機において解析された解析結果情報を前記子機毎に受信する解析結果情報受信機能（例えば、図２のＣＰＵ１０、図９のステップＳ３２）と、この受信した解析結果情報を分類し、分類結果に基づいて前記各子機をグループ分けするグループ分け機能（例えば、図２のＣＰＵ１０、図９のステップＳ３６）と、このグループ分けの結果情報を、前記各子機に送信するグループ分け結果情報送信機能（例えば、図２のＣＰＵ１０、図９のステップＳ４０〜Ｓ４２）と、を実現させる。
【０００９】
計測データとは、日常や自然界の諸現象をセンサ等で計測して得られるデータであって、例えば、電圧・温度・光・距離・音波などにおける各特性値がこれに該当する。また、実測値に限らず教師等が教材として作成した架空のデータであっても構わない。
【００１０】
請求項１又は７に記載の発明によれば、学習支援装置は収集手段を使って計測データを収集し、通信回線を介して接続されている複数の子機に対してこの計測データを配信（送信）する事ができる。また、子機から配信した計測データの解析結果情報を集めて解析結果を分類するとともに、この分類に基づいて子機をグループ分けして、更に、グループ分けの結果を各子機に送信することができる。従って、各子機のユーザ（学習者）は、学習支援装置から送られたグループ分けの結果を参照することによって、どの子機が同様の解析をし、どの子機で異なる解析結果に達しているかを知ることができることになるので、グループ学習がし易くなる。
【００１１】
請求項２に記載の発明のように、請求項１に記載の学習支援装置において、前記解析結果情報は、前記計測データ送信手段によって送信された計測データを当該子機で解析した結果の情報であり、解析結果のグラフを描画するためのグラフデータ（例えば、図４（ｃ）の解析結果データＴＢＬ２０４、回帰式データ２０４ｂ、図８の解析結果データ７０４、回帰式データ７０４ａ、図２３のグラフデータ７０１、グラフ式７０１ａ）を含み、前記グループ分け手段は、前記受信した解析結果情報に含まれるグラフデータを比較することによって解析結果情報を分類する手段であることとしても良い。
【００１２】
グラフデータとは、グラフ線を描画するための情報であって、例えば、関数式や、グラフ線をベジエ曲線で描画する際の制御点情報、グラフのレンジ、計測データから求められる回帰式がこれに該当する。
請求項２に記載の発明によれば、請求項１に記載の発明と同様の効果を奏するともに、解析結果として求められたグラフの特徴に基づいて子機を分類することができる。
【００１３】
請求項３に記載の発明は、計測データを解析する複数の子機と通信回線を介して接続する通信手段（例えば、図１のデータ収集機１２５０、データ転送ケーブルＫ、図２の通信制御部１６、第２通信制御部４８）と、計測データを収集する収集手段（例えば、図１のデータ収集機１２５０、計測プローブ１２５８、図２の計測部５４、計測器５６）と（例えば、図１の親機１２００）、前記通信手段を介して接続されている子機をグループに分けて登録する登録手段（例えば、図１３のＲＡＭ２０、班分け設定データ２１２）と、前記収集手段によって収集された計測データを、前記各子機に送信する計測データ送信手段（例えば、図１のデータ収集機１２５０、データ転送ケーブルＫ、図２の通信制御部１６、第２通信制御部４８、図１６のステップＳ１４）と、前記各子機において解析された解析結果情報を前記子機毎に受信する解析結果情報受信手段（例えば、図１のデータ収集機１２５０、データ転送ケーブルＫ、図２の通信制御部１６、第２通信制御部４８、図１６のループ２、ステップＳ３２）と、この受信した解析結果情報を前記グループ毎に集計するグループ集計手段（例えば、図２のＣＰＵ１０、図１６のループ２、ステップＳ３６）と、このグループ集計手段によって集計された集計結果情報を、前記各子機に送信する集計結果情報送信手段（例えば、図１のデータ収集機１２５０、データ転送ケーブルＫ、図２の通信制御部１６、第２通信制御部４８、図１６のステップＳ４２）と、を備えることを特徴とする。
【００１４】
また、請求項８に記載の発明のプログラムは、コンピュータに、計測データを解析する複数の子機と通信回線を介して接続する通信機能（例えば、図２のＣＰＵ１０、通信制御部１６、第２通信制御部４８、図１６のステップＳ２〜Ｓ６）と、計測データを収集する収集機能（例えば、図２のＣＰＵ１０、図１６のステップＳ１０〜Ｓ１２）と、前記通信機能を介して接続されている子機をグループに分けて登録する登録機能（例えば、図２のＣＰＵ１０、ＲＡＭ２０、図１３の班分け設定データ２１２、図１６のステップＳ６〜Ｓ８）と、前記収集機能によって収集された計測データを、前記各子機に送信する計測データ送信機能（例えば、図２のＣＰＵ１０、図１６のステップＳ１４）と、前記各子機において解析された解析結果情報を前記子機毎に受信する解析結果情報受信機能（例えば、図２のＣＰＵ１０、図１６のステップＳ２０４、Ｓ３２）と、この受信した解析結果情報を前記グループ毎に集計するグループ集計機能（例えば、図２のＣＰＵ１０、図１６のステップＳ２０８）と、このグループ集計機能によって集計された集計結果情報を、前記各子機に送信する集計結果情報送信機能（例えば、図２のＣＰＵ１０、図１６のステップＳ４２）と、を実現させる。
【００１５】
ここで言うグループとは、所謂学級内の班に相当する集合であって、グループ学習のための集合である。
請求項３又は８に記載の発明によれば、子機を予めグループ分けして登録し、グループ毎に解析結果の集計をし、集計結果を子機に送信することができる。集計の内容は、例えば、解析結果の種類毎の累計、該累計のグループの全体数における割合、平均である。従って、子機側から見ると同じグループ（班）における解析結果の違いについて知ることができるので、グループ学習を効率的に進めることが可能となる。
【００１６】
更には、請求項４に記載の発明のように、請求項３に記載の学習支援装置において、前記グループ集計手段は、グループ毎の集計結果を更にグループ間で比較するための２次集計（例えば、図１４の２次集計結果２０５−２）をする手段（例えば、図１のＣＰＵ１０、図１６のステップＳ２０８）を有することとしても良い。
【００１７】
請求項４に記載の発明によれば、請求項３に記載の発明と同様の効果を奏するとともに、グループ毎の集計結果（１次集計）をした後に、集計結果をグループ間で比較するための２次集計を実行して、その結果を子機に送信できる。従って、子機のユーザである学習者は、学習支援装置から送られた２次集計の結果を参照することによって、グループ単位での解析結果の違いについて知ることができるので、グループ学習をより広範囲にわたって進めることができる。
【００１８】
更に、請求項５の発明のように、請求項３又は４に記載の学習支援装置において、前記解析結果情報は、前記計測データ送信手段によって送信された計測データを当該子機で解析した結果の情報であり、解析結果のグラフを描画するためのグラフデータを含み、前記グループ集計手段は、前記受信した解析結果情報に含まれるグラフデータを比較することによって解析結果情報を前記グループ毎に集計する手段である、としても良い。
【００１９】
請求項５に記載の発明によれば、請求項３又は４に記載の発明と同様の効果を奏するとともに、解析結果として求められたグラフの特徴に基づいて子機を分類することができる。
【００２０】
請求項６に記載の発明は、グラフ描画するためのグラフデータを生成する機能を有する複数のグラフ作成装置（例えば、図１９の子機１３００）と通信回線を介して接続する通信手段と（例えば、図１９の親機１２００）、前記各グラフ作成装置からグラフデータを受信するグラフデータ受信手段（例えば、図１９のデータ中継機１２８０、データ転送ケーブルＫ、図２０の通信制御部１６、図２４のステップＳ３０６）と、この受信したグラフデータを分類し、分類結果に基づいて前記各グラフ作成装置をグループ分けするグループ分け手段（例えば、図２０のＣＰＵ１０、図２１のグループデータ２０７、図２２のグループ判定条件データ２３２、図２４のステップＳ３０８）と、このグループ分けの結果情報を、前記グラフ作成装置に送信するグループ分け結果情報送信手段（例えば、図１９のデータ中継機１２８０、データ転送ケーブルＫ、図２０の通信制御部１６、図２４のステップＳ４２）と、を備えることを特徴とする。
【００２１】
また、請求項９に記載の発明のプログラムは、コンピュータに、グラフ描画するためのグラフデータを生成する機能を有する複数のグラフ作成装置と通信回線を介して接続する通信機能（例えば、図２０のＣＰＵ１０、通信制御部１７、図２４のステップＳ２〜Ｓ６）と、前記各グラフ作成装置からグラフデータを受信するグラフデータ受信機能（例えば、図２０のＣＰＵ１０、図２４のステップＳ３０６）と、この受信したグラフデータを分類し、分類結果に基づいて前記各グラフ作成装置をグループ分けするグループ分け機能（例えば、図２０のＣＰＵ１０、図２４のステップＳ３０８）と、このグループ分けの結果情報を、前記グラフ作成装置に送信するグループ分け結果情報送信機能（例えば、図２０のＣＰＵ１０、図２４のステップＳ４２）と、を実現させる。
【００２２】
グラフデータとは、グラフ線を描画するための情報であって、例えば、関数式や、グラフ線をベジエ曲線で描画する際の制御点情報、グラフのレンジ、計測データから求められる回帰式がこれに該当する。
請求項６又は９に記載の発明によれば、子機で生成したグラフデータを受信して分類し、この分類に基づいて子機をグループ分けすることができる。そして更に、このグループ分けの結果を各子機に送信することができる。これによって、子機のユーザは、学習支援装置から送られたグループ分けの結果を参照することによって、どの子機で同様のグラフを作成し、どの子機で異なるグラフを生成したかを知ることができるので、グループ学習がし易くなる。
【００２３】
【発明の実施の形態】
〔第１の実施の形態〕
次に、本発明を適用した第１の実施の形態として、多機能関数電卓でＬＡＮを形成した学習支援システムを、理科実験の授業に用いる場合を例に挙げて説明する。尚、本発明の適用は、多機能関数電卓を用いたＬＡＮに限定されるものではなく、多機能関数電卓を例えばパソコンやＰＤＡ（パーソナル・デジタル・アシスタント）などに置き換えても構わない。
【００２４】
［構成の説明］
図１は、本実施の形態における構成の一例を示した図である。同図に示すように、本実施の形態における学習支援システム１０００では、学習支援装置である親機１２００と、端末装置に相当する複数の子機１３００とがＬＡＮを構成する。
【００２５】
本実施の形態における親機１２００は、多機能関数電卓１２１０と、データ計測機能と通信中継機能とを備えるデータ収集機１２５０とがデータ転送ケーブルＫによって互いにデータ通信自在に接続されて構成されている。
【００２６】
多機能関数電卓１２１０は、文字や数式・図形等を表示するＬＣＤ（Ｌｉｑｕｉｄ  Ｃｒｙｓｔａｌ  Ｄｉｓｐｌａｙ）１２１２と、数値・関数・演算操作の入力を行う操作入力キー１２１４と、演算処理を行う演算ユニット１２１６と、内蔵電池や太陽電池等の電源（図示省略）とを備え、金属や樹脂によって例えばカード形状にケーシングされている。
【００２７】
ＬＣＤ１２１２は、ドットによって文字・記号・画像などを表示できる表示パネル及びそのドライバ回路によって実現される。表示素子はＬＣＤに限らず、例えばＥＬＤ（Ｅｌｅｃｔｒｏｎｉｃ  Ｌｕｍｉｎｅｓｃｅｎｔ  Ｄｉｓｐｌａｙ）やＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）などでも良い。また、ＬＣＤ１２１２は、複数の表示パネルで構成しても良いし、適宜ＬＣＤ１２１２の表示面上にはタッチパネルを設け、所定のスタイラスペンによるタッチ等で各種の操作を入力することができる構成としても良い。
【００２８】
操作入力キー１２１４は、演算に必要な数値や関数、演算記号、及び各種操作を入力する手段であって、例えばボタンスイッチ（ハードキー）、タッチパネルなどによって実現される。
【００２９】
演算ユニット１２１６は、例えば、ＣＰＵ（Ｃｅｎｔｒａｌ    Ｐｒｏｃｅｓｓｉｎｇ    Ｕｎｉｔ）、各種ＩＣメモリ、ＳＯＣ（Ｓｙｓｔｅｍ  Ｏｎ  ａ  Ｃｈｉｐ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって実現され、各種ＩＣメモリ等に記憶されている各種処理プログラムを読出して演算処理することによって多機能関数電卓１２１０を統合的に制御する。
【００３０】
また、多機能関数電卓１２１０は、記憶メディア１２２２用のスロット１２２０と、データ転送ケーブルＫと接続するコネクタ１２１８とを備える。
【００３１】
記憶メディア１２２２は、例えばＩＣメモリカード、ＭＯなど、プログラムやデータを記憶する着脱自在な情報記憶媒体である。スロット１２２０は、記憶メディア１２２２に対してデータの読み書きができる装置であって、記憶メディア１２２２の種類に応じて適宜選択される。記憶メディア１２２２が、ＭＯなどの場合にはＭＯドライブ装置などの外部装置と接続可能なＩＥＥＥ１３９４（Ｉｎｓｔｉｔｕｔｅ  ｏｆ  Ｅｌｅｃｔｒｏｎｉｃ  ａｎｄ  Ｅｌｅｃｔｒｏｎｉｃ  Ｅｎｇｉｎｅｅｒｓ  １３９４）やＵＳＢ（Ｕｎｉｖｅｒｓａｌ  Ｓｅｒｉａｌ  Ｂｕｓ）などの接続端子としても良い。
【００３２】
コネクタ１２１８は、通信回線や外部装置（例えば、クレードル、計測器、データ収集機、プリンタ、モデム、携帯電話、パソコンなど）、ケーブル類が接続可能な端子とその制御部である。例えば、ＵＳＢ、ＩＥＥＥ１３９４、ＲＪ−４５などの種々の形式が適宜選択される。図１の例では、データ転送ケーブルＫによる有線接続の例を示しているが、赤外線等の無線を利用してデータの送受を実現しても良い。この場合には、コネクタ１２１８は無線の送受信モジュール及び無線送受信端子とする。
【００３３】
データ収集機１２５０は、日常及び自然界のデータを計測して収集（サンプリング）する機能を有するとともに、子機１３００と親機１２００とをデータ通信により自在に接続する中継機としての機能を有する。その動作は、内蔵された演算ユニット１２５４によって制御され、多機能関数電卓１２１０から各種のコマンドを送ることによってリモコン操作することができる。
【００３４】
具体的には、データ収集機１２５０は、プローブコネクタ１２５６に接続された各種の計測プローブ１２５８の出力電圧を測定し、測定電圧を計測プローブ１２５８の種類に応じて予め設定されている変換式で変換して計測データを求める。そして、計測データを第１コネクタ１２６０に接続されたデータ転送ケーブルＫで、多機能関数電卓１２１０に転送する。
【００３５】
また、第２コネクタ１２６２に接続されたデータ転送ケーブルＫで複数の子機１３００と接続し、多機能関数電卓１２１０と子機１３００の間のデータ通信を実現する。即ち、データ収集機１２５０は、スイッチングハブやブリッジに相当する中継機能を実現し、多機能関数電卓１２１０と子機１３００とは、一対一、又は一体多でデータ通信することができる。
【００３６】
本実施の形態における子機１３００は、データ通信機能及びデータ解析機能を備えた多機能関数電卓によって実現される。即ち、子機１３００は、親機１２００の多機能関数電卓１２１０と同様のハードウェア構成によって実現され、親機１２００より受信した計測データをＬＣＤ１３０２にグラフ表示するとともに、同計測データの複数種類の回帰式を求めることができる。尚、子機１３００におけるデータ通信実現の具体的な方法や、グラフ表示及び回帰式の算出に関する方法は、公知の技術を用いて実現可能であるので詳細な説明は省略する。
【００３７】
本実施の形態では、液体Ｄの温度低下を観察する実験に学習支援システム１０００を用いる。計測プローブ１２５８は温度を検知する機能を有し、データ収集機１２５０は所定の時間間隔毎に液体Ｄの温度の計測データを収集することができる。
【００３８】
教師は親機１２００を操作してデータ収集機１２５０で液体Ｄの温度低下の計測データを収集し、この計測データを共通の教材として各生徒の子機１３００に配信（送信）する。生徒は各人の子機１３００を使って配信された計測データを解析する。本実施の形態におけるデータの解析は、温度の時系列変化をグラフ表示して温度変化の傾向を確認し、計測データの回帰式を算出することで行われる。そして、子機１３００がデータ解析の結果を親機１２００に送信すると、親機１２００はデータ解析の結果に基づいて子機１３００をグループ分けし、グループ分けの結果を子機１３００に送信する。生徒は、このグループ分けの結果を子機１３００で確認して、自分と同じ考えの人が誰で、自分と異なる考えの人が誰かを知り、グループ学習を進める。
【００３９】
［機能ブロックの説明］
図２は、本実施の形態における親機１２００の機能構成の一例を示す機能ブロック図である。
【００４０】
［１・多機能関数電卓１２１０の機能ブロック］
多機能関数電卓１２１０は、ＣＰＵ１０と、入力部１２と、表示部１４と、通信制御部１６と、記憶媒体読取部１８と、ＲＡＭ（Ｒａｎｄｏｍ  Ａｃｃｅｓｓ    Ｍｅｍｏｒｙ）２０と、ＲＯＭ（Ｒｅａｄ  Ｏｎｌｙ  Ｍｅｍｏｒｙ）２２と、これら各構成要素間をデータ送受信可能に接続するバス２４とを有する。
【００４１】
ＣＰＵ１０は、各機能ブロックの制御及び各種の演算処理を実行し、多機能関数電卓１２１０を統合的に制御する。その機能は、従来の関数電卓と同様に、ＲＡＭ２０やＲＯＭ２２内に記憶される各種のプログラム及びデータを適宜読出して演算処理することによって実現される。図１では、ＣＰＵ１０はＲＡＭ２０やＲＯＭ２２とともに演算ユニット１２１６として内蔵されている。
【００４２】
入力部１２は、数字や文字、関数式の入力や種々の操作を入力し、操作信号をＣＰＵ１０に出力する。入力部１２は、プッシュスイッチ、キーボード、マウスやタブレット、タッチパネルなどによって実現される。図１における操作入力キー１２１４がこれに該当する。
【００４３】
表示部１４は、ＣＰＵ１０からの指示に従って数値や関数式や図形、及び各種の操作画面等を表示する手段であって、画像表示可能な表示素子とそのドライバ回路等によって実現される。図１ではＬＣＤ１２１２がこれに該当する。
【００４４】
通信制御部１６は、通信回線３０を介して他の装置とのデータの送受信を制御する手段であり、例えば、所定のプログラムや通信制御用ＬＳＩ及び接続端子などによって実現される。図１ではコネクタ１２１８がこれに該当する。
【００４５】
通信回線３０は、有線／無線によるデータの送受信が可能な通信媒体であって、例えば、ＬＡＮ（Ｌｏｃａｌ  Ａｒｅａ  Ｎｅｔｗｏｒｋ）、インターネット、携帯電話網、及び周辺機器との直接的なケーブル接続等がこれに該当する。図１ではデータ転送ケーブルＫがこれに該当する。
【００４６】
記憶媒体読取部１８は、例えば、ＩＣメモリカード、ＣＤ−ＲＯＭ、ＭＯ、ＤＶＤ−ＲＡＭ、ＦＤ（登録商標）、ハードディスクなどの記憶媒体１９にデータを読み書きする手段である。図１ではスロット１２２０が記憶媒体読取部１８に該当し、記憶メディア１２２２が記憶媒体１９に該当する。
【００４７】
ＲＡＭ２０は、ＣＰＵ１０の作業領域としてプログラムや各種データを一時的に記憶する。図３（ａ）は、本実施の形態におけるＲＡＭ２０の記憶領域の構成の一例を示す図である。同図に示すように、本実施の形態では、▲１▼データ収集機１２５０を介して接続されている子機１３００の子機登録データを記憶する子機登録データ記憶領域２００Ｒと、▲２▼実験の計測データを記憶する計測データ記憶領域２０２Ｒと、▲３▼子機１３００から受信した計測データの解析結果データを記憶する解析結果データＴＢＬ記憶領域２０４Ｒと、▲４▼子機１３００のグループ分けの結果を記憶するグループデータ記憶領域２０６Ｒと、▲５▼グループ分けの結果を各子機１３００に送信するためのグループ通知データを記憶するグループ通知データ記憶領域２０８Ｒとを備えている。
【００４８】
ＲＯＭ２２は、多機能関数電卓１２１０の制御や演算処理及び周辺機器とのデータの送受に必要なプログラムやデータを記憶している。例えば、システムプログラムやドライバソフト、画面表示のフォントや表示枠などのグラフィックデータなどが予めここに記憶されている。図３（ｂ）は、本実施の形態におけるＲＯＭ２２の記憶領域の構成の一例を示す図である。同図に示すように、本実施の形態では、▲１▼ＣＰＵ１０に子機登録のための機能を実現させる子機登録プログラム２２０と、▲２▼データ収集機１２５０から実験の計測データを取得する機能を実現させる計測データ取得プログラム２２２と、▲３▼データ収集機１２５０から取得した計測データを各子機１３００に配信する機能を実現させる計測データ送信プログラム２２４と、▲４▼各子機１３００から計測データの解析結果データを取得する機能を実現する解析結果データ取得プログラム２２６と、▲５▼子機１３００から受信した解析結果データを分類するとともに、その分類結果に基づいて子機１３００をグループ分けする機能を実現させるグループ判定プログラム２２８と、▲６▼各子機１３００にグループ分けの結果を送信する機能を実現させるグループ通知データ送信プログラム２３０とを記憶している。
【００４９】
図４（ａ）は、本実施の形態における子機登録データ記憶領域２００Ｒに記憶された子機登録データ２００の一例を示す図である。子機登録データ２００は、データ収集機１２５０の第２コネクタ１２６２（子機１３００からのケーブルを接続するコネクタ）のポート番号２００ａと、子機識別情報２００ｂと、ユーザ名２００ｃとを対応づけて格納する。子機識別情報２００ｂは、子機１３００のＩＤ番号等であっても良い。ユーザ名２００ｃは、子機１３００において予めユーザが登録する情報である。子機登録データ２００は、子機登録プログラム２２０によって実現される子機登録の機能によって生成され管理される。
【００５０】
図４（ｂ）は、本実施の形態における計測データ記憶領域２０２Ｒに記憶された計測データ２０２の一例を示す図である。計測データ２０２は、計測時間２０２ａ（単位；ｓｅｃ）と、温度２０２ｂ（単位；℃）とを対応付けて格納する。計測データ２０２は、計測データ取得プログラム２２２によって実現されるデータ収集機１２５０から計測データを取得する機能によって生成され管理される。
【００５１】
図４（ｃ）は、本実施の形態における解析結果データＴＢＬ記憶領域２０４Ｒに記憶された解析結果データＴＢＬ２０４の一例を示す図である。同図に示すように、解析結果データＴＢＬ２０４は、子機識別情報２０４ａと、子機１３００で求められた解析結果データである回帰式データ２０４ｂとを対応付けて格納する。子機識別情報２０４ａは子機登録データ２００のそれと符合する。回帰式データ２０４ｂは、子機１３００で計測データから求めた回帰式の関数を示す情報であって、例えば、各式の項毎における演算符合の種類や変数の種類、定数値を含むとしても良い。
解析結果データＴＢＬ２０４は、解析結果データ取得プログラム２２６によって実現される各子機１３００から計測データの解析結果データを取得する機能によって生成され管理される。
【００５２】
図５（ａ）は、本実施の形態におけるグループデータ記憶領域２０６Ｒに記憶されたグループデータ２０６の一例を示す図である。同図に示すように、グループデータ２０６は、グループ識別情報２０６ａと、回帰式データ２０６ｂと、グループ名２０６ｃとを対応付けて格納する。即ち、子機１３００から受信した解析結果データの分類の結果を格納する。グループ名２０６ｃは、該当する分類を分かり易く示す呼称であって、本実施の形態では親機１２００のユーザ（教師）が設定する。また、グループデータ２０６は、子機識別情報２０６ｄと、ユーザ名２０６ｅと、グループ識別情報２０６ｆとを対応付けて格納する。即ち、解析結果データの分類結果に基づく子機１３００のグループ分けの結果を格納する。従って、グループデータ２０６によって、子機１３００の解析結果の分類と、どの子機１３００でどの種類の解析結果を導き出したかを知ることができる。
グループデータ２０６は、グループ判定プログラム２２８によって実現される解析結果データの分類と該分類結果に基づく子機１３００のグループ分けの機能によって生成され管理される。
【００５３】
図５（ｂ）は、本実施の形態におけるグループ通知データ記憶領域２０８Ｒに記憶されたグループ通知データ２０８の一例を示す図である。同図に示すように、グループ通知データ２０８は、解析結果のグループ分けの結果として、解析結果データのグループ識別情報２０８ａ毎に、回帰式データ２０８ｂと、グループ名２０８ｃとを対応付けて格納する。また、グループ識別情報２０８ｄと、該グループに分類される子機識別情報２０８ｅ及びユーザ名２０８ｆとを対応づけて格納する。即ち、グループ通知データ２０８によって、解析結果にどのような種類が有るか、どの子機１３００の誰がどのグループに属するかと言ったことを知ることができる。
グループ通知データ２０８は、グループ通知データ送信プログラム２３０によって実現される機能によってグループデータ２０６を参照して生成され、各子機１３００に送信される。
【００５４】
尚、ＲＡＭ２０及びＲＯＭ２２に記憶されたプログラムやデータ等は、記憶媒体１９に記憶させる構成としても良い。また、サーバやクライアント等の外部機器から通信回線を介してダウンロードする、或いは記憶媒体１９からインストールする構成としても良いのは勿論である。
【００５５】
［２・データ収集機１２５０の機能ブロック］
図２に示すように、データ収集機１２５０は、ＣＰＵ４０と、第１通信制御部４６と、第２通信制御部４８と、ＲＡＭ５０と、ＲＯＭ５２と、計測部５４と、これら各構成要素間をデータ送受信可能に接続するバス５８とを有する。
【００５６】
ＣＰＵ４０は、各機能ブロックの制御及び各種の演算処理を実行し、データ収集機１２５０を統合的に制御する。その機能は、ＲＡＭ５０やＲＯＭ５２内に記憶される各種のプログラム及びデータを適宜読出して演算処理することによって実現される。また、多機能関数電卓１２１０から送られる所定のコマンドによっても種々の機能が実現される。例えば、計測時間間隔や計測レンジなど計測諸元の設定、計測の実行／停止、計測プローブ１２５８の計測値を計測データに変換する変換式の設定ができる。図１では、ＣＰＵ４０はＲＡＭ５０やＲＯＭ５２とともに演算ユニット１２５４として内蔵されている。
【００５７】
第１通信制御部４６は、通信回線３０を介して多機能関数電卓１２１０とのデータの送受信を確立し制御する手段である。同様に、第２通信制御部４８は通信回線３２を介して子機１３００とのデータの送受信を確立し制御する手段である。これらは、例えば、データ通信用のプログラムやＬＳＩ及び接続端子などによって実現される。図１では、第１通信制御部４６は第１コネクタ１２６０に該当し、第２通信制御部４８は第２コネクタ１２６２に該当する。
【００５８】
通信回線３０及び通信回線３２は、有線／無線によるデータの送受信が可能な通信媒体であって、例えば、ＬＡＮ（Ｌｏｃａｌ  Ａｒｅａ  Ｎｅｔｗｏｒｋ）、インターネット、携帯電話網、及び周辺機器との直接的なケーブル接続等がこれに該当する。図１ではデータ転送ケーブルＫがこれに該当する。
【００５９】
計測部５４は、各種の物理量を検知するための計測器５６からの測定値（例えば、測定電圧）を測定しＣＰＵ４０に出力する。計測部５４は、計測器５６の種類に応じて公知の技術を適宜用いて実現することができる。図１では計測部５４はプローブコネクタ１２５６に該当し、計測器５６は計測プローブ１２５８に該当する。
【００６０】
ＲＡＭ５０は、ＣＰＵ４０の作業領域としてプログラムや各種データを一時的に記憶する。図６（ａ）は、本実施の形態におけるＲＡＭ５０の記憶領域の構成の一例を示す図である。同図に示すように、本実施の形態では特に、▲１▼計測部５４から出力された計測値を記憶する計測値記憶領域５００Ｒと、▲２▼計測値が所定の変換式に基づいて計測目的の物理単位に変換された計測データを記憶する計測データ記憶領域５０２Ｒとを備えている。その他、多機能関数電卓１２１０から送られた各種のコマンド等も一時的に格納される。
【００６１】
図６（ｂ）は、本実施の形態における計測値領域５００Ｒに記憶された計測値５００の一例を示す図である。同図に示すように、計測値５００は、計測時間５００ａと測定電圧５００ｂとを対応付けて格納する。
【００６２】
図６（ｃ）は、本実施の形態における計測データ記憶領域５０２Ｒに記憶された計測データ５０２の一例を示す図である。同図に示すように、計測データ５０２は、計測時間５０２ａと計測温度５０２ｂとを対応付けて格納する。同図の場合、計測温度５０２ｂには、計測器５６の電圧値が温度の単位に変換された値が格納されている。
【００６３】
ＲＯＭ５２は、データ収集機１２５０の制御や演算処理、及び周辺機器とのデータの送受に必要なプログラムやデータを記憶する。図６（ｄ）は、本実施の形態におけるＲＯＭ５２の記憶領域の構成の一例を示す図である。同図に示すように、本実施の形態では、▲１▼計測器５６で物理量の計測を実行するための機能を実現させる計測プログラム５２０と、▲２▼計測値５００を計測目的の物理量の単位に変換して計測データを算出する機能を実現させる計測値変換プログラム５２２と、▲３▼多機能関数電卓１２１０とのデータ通信を制御する機能を実現させる第１通信制御プログラム５２４と、▲４▼多機能関数電卓１２１０からの指示に従って多機能関数電卓１２１０と各子機１３００とのデータ通信の中継機能を実現する第２通信制御プログラム５２６とを記憶している。また、▲５▼計測値５００を計測データ５０２に変換する変換レートや変換式等を計測器５６の種類ごとに格納している計測値変換ＴＢＬ５２８を記憶している。
【００６４】
［３・子機１３００の機能ブロック］
図７は、本実施の形態における子機１３００の機能構成の一例を示す機能ブロック図である。子機１３００は、基本的に多機能関数電卓１２１０と同様の構成によって実現される。即ち、ＣＰＵ１０に対応するＣＰＵ６０と、入力部１２に対応する入力部６２と、表示部１４に対応する表示部６４と、通信制御部１６に対応する通信制御部６６と、記憶媒体読取部１８に対応する記憶媒体読取部６８と、ＲＡＭ７０と、ＲＯＭ７２と、これら各構成要素間をデータ送受信可能に接続するバス７４とを有する。
【００６５】
図８（ａ）は、本実施の形態におけるＲＡＭ７０の記憶領域の構成の一例を示す図である。同図に示すように、本実施の形態では、▲１▼子機１３００のユーザ登録データを記憶するユーザ登録データ記憶領域７００Ｒと、▲２▼親機１２００から受信した実験の計測データを記憶する計測データ記憶領域７０２Ｒと、▲３▼計測データの解析結果の情報である解析結果データを記憶する解析結果データ記憶領域７０４Ｒと、▲４▼親機１２００から受信したグループ通知データを記憶するグループ通知データ記憶領域７０６Ｒとを備えている。
【００６６】
ユーザ登録データ記憶領域７００Ｒに記憶されたユーザ登録データ７００は、例えば図８（ｂ）に示すように、子機識別情報７００ａとユーザ名７００ｂとを格納している。子機識別情報７００ａは、装置のＩＤなどであって予め設定されている。ユーザ名７００ｂは、子機１３００のユーザが使用時に入力部６２を操作して別途入力する。
【００６７】
解析結果データ記憶領域７０４Ｒに記憶された解析結果データ７０４は、例えば図８（ｃ）に示すように、計測データ７０２をグラフ線で描画するためのグラフデータである回帰式データ７０４ａや、座標の設定、表示レンジの設定などの情報を格納する。
【００６８】
図８（ｄ）は、本実施の形態におけるＲＯＭ７２の記憶領域の構成の一例を示す図である。ＲＯＭ７２は、本実施の形態では特に、▲１▼親機１２００に子機１３００を登録させるための機能を実現させる子機登録プログラム７２０と、▲２▼親機１２００から計測データ２０２を取得する機能を実現させる計測データ受信プログラム７２２と、▲３▼取得した計測データを解析して解析結果データ７０４を求める機能を実現させるデータ解析プログラム７２４と、▲４▼解析結果データ７０４を親機１２００に送信する機能を実現させる解析結果データ送信プログラム７２８と、▲５▼親機１２００からグループ通知データ７０６を受信する機能を実現させるグループ通知受信プログラム７３０と、▲６▼グループ通知データ７０６を表示する機能を実現させるグループ通知表示プログラム７３２とを記憶している。
【００６９】
更に、データ解析プログラム７２４は、▲７▼計測データ７０２から２変数統計計算（回帰計算）をして回帰式を求める機能を実現する回帰式算出プログラム７２５と、▲９▼表示部６４に計測データ７０２のグラフを描画するための座標軸やレンジ等を自動的に決定するとともに、表示部６４におけるグラフの表示を制御する機能を実現するグラフ生成プログラム７２６とを含む。
【００７０】
回帰式算出プログラム７２５は、回帰式の種類ごとに用意されており、子機１３００のユーザ（生徒）が任意に選択することができる。回帰式の種類としては、例えば、直線回帰や対数回帰、指数回帰、べき乗回帰が有るが、その他適宜設定して構わない。
【００７１】
尚、ＲＡＭ７０及びＲＯＭ７２に記憶されたプログラムやデータ等は、記憶媒体１９に記憶させる構成としても良い。また、親機１２００からダウンロードする、或いは記憶媒体１９からインストールする構成としても良いのは勿論である。
【００７２】
［処理の流れの説明］
次に、本実施の形態における処理の流れについて説明する。
図９は、本実施の形態における処理の流れを説明するためのフローチャートである。図中右側が子機１３００における処理を示し、左側が親機１２００における処理を示している。
【００７３】
親機１２００における処理は、多機能関数電卓１２１０のＣＰＵ１０が子機登録プログラム２２０と、計測データ取得プログラム２２２と、計測データ送信プログラム２２４と、解析結果データ取得プログラム２２６と、グループ判定プログラム２２８と、グループ通知データ送信プログラム２３０とを読み出して実行することによって実現される。また、データ収集機１２５０のＣＰＵ４０が、計測プログラム５２０と、計測値変換プログラム５２２と、第１通信制御プログラム５２４と、第２通信制御プログラム５２６とを読み出して実行することによって実現される。
【００７４】
子機１３００における処理は、子機１３００のＣＰＵ６０が、子機登録プログラム７２０と、計測データ受信プログラム７２２と、データ解析プログラム７２４と、解析結果データ送信プログラム７２８と、グループ通知受信プログラム７３０と、グループ通知表示プログラム７３２とを読み出して実行することによって実現される。
【００７５】
同図に示すように、先ず親機１２００は、データ収集機１２５０を介して接続されている各子機１３００にユーザ登録データ７００を送信する要求をする（ステップＳ２）。各子機１３００は、この送信要求を受信して、それぞれ親機１２００にユーザ登録データ７００を送信する（ステップＳ４）。親機１２００は、各子機１３００からユーザ登録データ７００を受信し（ステップＳ６）、子機登録データ２００を生成する（ステップＳ８）。
【００７６】
次に、親機１２００は、入力部１２から所定の計測開始の操作が入力されたならば（ステップＳ１０；ＹＥＳ）、データ収集機１２５０に所定のコマンドを送信して計測を実行させ、計測データ２０２を取得する（ステップＳ１２）。
具体的には、例えば、親機１２００がデータ収集機１２５０に計測要求信号を送信すると、データ収集機１２５０は所定の時間間隔で計測プローブ１２５８の出力値を測定して計測値５００として記憶する。そして、親機１２００から計測停止の信号を受けた場合、或いは所定時間が計測した場合、データ収集機１２５０は計測を終了し計測値５００から計測データ５０２を算出する。そして、計測データ５０２を多機能関数電卓１２１０に送信する。多機能関数電卓１２１０は受信したデータを計測データ２０２としてＲＡＭ２０に記憶する。
【００７７】
次に、親機１２００は取得した計測データ２０２を、子機登録データ２００に登録されている全ての子機１３００に送信する（ステップＳ１４）。各子機１３００は、親機１２００から計測データ２０２を受信し、計測データ７０２としてＲＡＭ７０に記憶する（ステップＳ１６）。
【００７８】
次に、子機１３００は、ユーザによって入力部６２から解析実行を示す所定の操作が入力されたならば（ステップＳ１８；ＹＥＳ）、表示部６４に計測データ７０２をＸＹ座標軸上にプロットして表示させる（ステップＳ２０）。
【００７９】
次に、所定の表示部６４に回帰式の種類を選択可能に表示して、ユーザの操作に従って回帰式の種類を選択する（ステップＳ２２）。そして、選択された回帰式の種類に対応する回帰式算出プログラム７２５を実行して計測データ７０２の回帰式を算出し、算出した回帰式を解析結果データ７０４の回帰式データ７０４ａとして記憶する（ステップＳ２４）。そして、算出された回帰式に基づく回帰曲線（グラフ線）をステップＳ２０で描画したグラフに追加表示する（ステップＳ２６）。
【００８０】
次に、子機１３００は解析の決定と再解析とを選択可能に表示し、ユーザに選択させる。子機１３００のユーザは、表示部６４に表示された回帰曲線とプロットされた点とを見比べて、回帰式の妥当性を判断し、回帰式が妥当と判断すれば解析結果の決定を入力し、再検討の必要があると判断すれば、再解析を入力する。
再解析が選択された場合（ステップＳ２８；ＮＯ）、ステップＳ２２に戻って回帰式の種類の選択から繰り返す。選択決定が選択された場合（ステップＳ２８；ＹＥＳ）、子機１３００は解析結果データ７０４を親機１２００に送信する（ステップＳ３０）。
【００８１】
図１１は、本実施の形態における子機１３００の画面表示の一例を示す図である。同図（ａ）はステップＳ２０における画面表示の例を示している。子機１３００には、横軸を計測時間、縦軸を計測温度とした座標上に、計測された温度がプロットされて表示される（図中；プロット点Ｐ）。また、画面下部には所定の操作入力キー１２１４（例えば、ファンクションキー）に対応して、回帰式の種類が選択可能に表示される。子機１３００のユーザは、このグラフを見て温度変化の傾向を確認し、画面下部の表示に対応する操作入力キー１２１４を操作して回帰式の選択と回帰演算の実行を入力できる。
【００８２】
同図（ｂ）はステップＳ２６における画面表示の例を示している。画面には先に描画されたグラフに回帰式に基づく回帰曲線Ｌが追加表示される。また、画面下部には、所定の操作入力キー１２１４に対応して、解析結果の決定又は再解析の選択が可能に表示される。子機１３００のユーザは、追加された回帰曲線Ｌとプロットされた点とを見比べ、回帰曲線Ｌから回帰式が適当と判断されれば、解析決定を選択操作し、回帰曲線Ｌがプロットされた点に対応していないと判断するならば再解析の選択操作をして、再度、回帰式の演算の実行を実行させることができる。
【００８３】
解析決定を選択操作した場合は、同図（ｃ）に示すように画面表示され、解析結果データ７０４が親機１２００に送信される。再解析の選択操作がされた場合は、同図（ａ）の表示に戻る。
【００８４】
次に図９において、親機１２００は、各子機１３００から解析結果データ７０４を受信する（ステップＳ３２）。親機１２００は、受信した解析結果データ７０４を解析結果データＴＢＬ２０４としてＲＡＭ２０に記憶させる。
【００８５】
子機登録データ２００に登録されている全ての子機１３００から解析結果データ７０４を受信したならば（ステップＳ３４；ＹＥＳ）、親機１２００はグループ判定処理を実行する（ステップＳ３６）。グループ判定処理では、解析結果データＴＢＬ２０４に格納された回帰式データ２０４ｂを分類・集計するとともに、分類結果に基づいて各回帰式データ２０４ｂに対応する子機１３００をグループ分けする。
【００８６】
図１０は、本実施の形態におけるグループ判定処理の流れを説明するためのフローチャートである。同図に示すように、親機１２００は、先ず、グループデータ２０６をリセットし（ステップＳ１０２）、子機登録データ２００に登録されている全ての子機１３００についてループ１を実行する（ステップＳ１０４〜Ｓ１１６）。
【００８７】
ループ１では、先ず、処理対象の子機１３００の回帰式データ２０４ｂと、グループデータ２０６に登録されている回帰式データ２０６ｂとを比較する（ステップＳ１０６）。
【００８８】
処理対象の子機１３００の回帰式データ２０４ｂが、登録されている回帰式データ２０６ｂの何れとも一致しない場合（ステップＳ１０８；ＮＯ）、親機１２００は該回帰式データ２０４ｂを新たなグループとして登録し（ステップＳ１１０）、処理対象の子機１３００を新しく登録したグループに分類し登録する（ステップＳ１１２）。
具体的には、グループデータ２０６において、新しいグループ識別情報２０６ａに対応させて回帰式データ２０６ｂを登録する。そして、子機登録データ２００を参照して、処理対象の子機１３００の子機識別情報２０６ｄと、ユーザ名２０６ｅ及びグループ識別情報２０６ｆと対応付けて登録する。ループ１で初めて処理する子機１３００の場合、グループデータ２０６がリセットされているので、何れの回帰式も登録されていないので、新たなグループとして登録されることになる。
【００８９】
処理対象の子機１３００に対応する回帰式データ２０４ｂが、登録されている回帰式データ２０６ｂの何れかと一致する場合（ステップＳ１０８；ＹＥＳ）、親機１２００は、処理対象の子機１３００を該当するグループに分類し登録する（ステップＳ１１４）。具体的には、グループデータ２０６に、処理対象の子機１３００の子機識別情報２０６ｄと、ユーザ名２０６ｅと、処理対象の子機１３００に対応する回帰式データ２０４ｂが一致した回帰式データ２０６ｂのグループ識別情報２０６ｆとを対応付けて登録する。
【００９０】
そして、全ての子機１３００についてループ１を実行したならば、グループ判定処理を終了し、図９のフローに戻る。
【００９１】
図９において、グループ判定処理を終了したならば、親機１２００は、表示部１４に所定の表示形態でグループデータ２０６を表示する（ステップＳ３８）。親機１２００のユーザ（教師）は、この表示結果を見て生徒達の解析結果を確認する事ができる。
【００９２】
またこの際、親機１２００は各グループのグループ名２０６ｃを入力可能に表示して、親機１２００のユーザ（教師）にグループ名２０６ｃを設定させる（ステップＳ４０）。これによって、生徒が分かり易い呼称を教師が設定することができる。
【００９３】
次に、親機１２００はグループ通知データ２０８を作成し、子機登録データ２００に登録されている各子機１３００に送信する（ステップＳ４２）。
【００９４】
各子機１３００は、親機１２００からグループ通知データ２０８を受信し、グループ通知データ７０６としてＲＡＭ７０に記憶する（ステップＳ４４）。そして、グループ通知データ７０６を所定の表示形態で表示部６４に表示させ（ステップＳ４６）、子機１３００のユーザ（生徒）に通知する。
具体的には、子機１３００は、グループ通知データ７０６を参照して、自機の子機識別情報に対応するグループ識別情報２０８ａのグループ名２０８ｃと、該グループの回帰式データ２０８ｂと、該グループに分類されている他の子機１３００のユーザ名２０８ｆとを表示する。また、所定の操作によって、同様にして他のグループのグループ名２０８ｃと、該グループの回帰式データ２０８ｂと、該グループに分類されている他の子機１３００のユーザ名２０８ｆとを切り換えて表示可能にする。
【００９５】
図１２は、本実施の形態における画面表示の例を示す図である。同図（ａ）はステップＳ３８における親機１２００の画面表示に該当する。同図に示すように、例えば、ＬＣＤ１２１２には、グループ名２ａと、解析結果である回帰式２ｂと、該回帰式を導いたユーザ名（この場合、生徒の名前）と、メンバ２ｃとが対応付けられて表示される。グループ名２ａは、例えば操作入力キー１２１４から呼称を入力可能に表示される。
【００９６】
同図（ｂ）は、ステップＳ４６における子機１３００の画面表示に該当する。同図に示すように、例えば、自機の識別情報に対応するグループのグループ名３ａと、該グループの回帰式３ｂと、該グループに分類されている他の子機１３００のユーザ名３ｃとを表示する。また、画面下部には所定の操作入力キー１２１４（例えば、ファンクションキー）に対応して、他のグループに関する情報の表示に切り換え可能に表示される。
他グループを選択操作すると、例えば同図（ｃ）に示すように、自機とは異なる回帰式を導いたグループ名４ａと、該グループの回帰式４ｂと、該グループに分類される他の子機１３００のユーザ名４ｃとが表示される。
【００９７】
以上の処理によって、子機１３００のユーザである生徒は、この表示を見て自身の解析結果がどのグループに属して誰が同じグループに居るのかを知ることができる。また、自分と異なる解析結果を誰が導き出したかを知ることができる。従って、他の生徒とのディスカッションが容易になり、グループ学習をより効率的に進めることができる。
【００９８】
〔第２の実施の形態〕
次に、図１３〜図１８を参照して、本発明を適用した第２の実施の形態について説明する。本実施の形態は、基本的に第１の実施の形態と同様の構成によって実現できるが、子機１３００を事前に複数の班に分けて登録し、班毎で集計するとともに、集計結果を班単位で比較可能にしている点において異なる。尚、第１の実施の形態と同様の構成要素については、同じ符合を付けて説明は省略するものとする。
【００９９】
［機能ブロックの説明］
機能ブロックの構成は、第１の実施の形態と基本的に同様であるが（図示略）、データ構成において異なる。
【０１００】
図１３（ａ）は、本実施の形態におけるＲＡＭ２０の記憶領域の構成の一例を示す図である。同図に示すように、本実施の形態ではＲＡＭ２０は班分け設定データ記憶領域２１２Ｒを備えている。
【０１０１】
班分け設定データ記憶領域２１２Ｒに記憶された班分け設定データ２１２における班とは、学級の班分けに相当するものであってグループ学習の単位となる。この班は、本実施の形態における解析結果データの分類における集計単位となる。班分け設定データ２１２は、例えば図１３（ｂ）に示すように、班名２１２ａと、班に属する子機識別情報２１２ｂと、ユーザ名２１２ｃとを対応付けるように、事前に教師等によって設定される。恒常的に使用する場合には、班分け設定データ２１２を記憶メディア１２２２やＲＯＭ２２に記憶させるとしても良い。
【０１０２】
図１４は、本実施の形態におけるグループデータ記憶領域２０５Ｒに記憶されたグループデータ２０５の一例を示す図である。グループデータ２０５は、第１の実施の形態におけるグループデータ２０６に相当するデータである。同図に示すように、グループデータ２０５では、１次集計結果２０５−１として、班分け設定データ２１２で設定された班毎に、回帰式のグループ識別情報２０５ａと、該グループの回帰式データ２０５ｂと、グループ名２０５ｃとを対応付けて格納する。また、子機識別情報２０５ｄと、ユーザ名２０５ｅと、該子機が分類されたグループ名２０５ｆとを対応付けて格納する。
【０１０３】
また、解析結果の集計結果を班別に比較するための２次集計結果２０５−２として、班名２０５ｇと、回帰式のグループ識別情報２０５ｈと、当該班における各回帰式のグループに属する子機１３００の数に当る人数２０５ｉとを対応付けて格納する。尚、２次集計結果２０５−２の集計項目は人数２０５ｉに限らず、例えば、人数２０５ｉの当該班の人数におけるパーセント（％）などを適宜設定して構わない。
【０１０４】
図１５は、本実施の形態におけるグループ通知データ記憶領域２０９Ｒに記憶されたグループ通知データ２０９の一例を示す図である。グループ通知データ２０９は、第１の実施の形態におけるグループ通知データ２０８に相当するデータである。同図に示すように、グループ通知データ２０９は、グループデータ２０５の１次集計結果２０５−１及び２次集計結果２０５−２にそれぞれ対応する、１次集計結果２０９−１及び２次集計結果２０９−２を格納する。
【０１０５】
［処理の流れの説明］
図１６は、本実施の形態における処理の流れを説明するためのフローチャートである。尚、第１の実施の形態と異なる処理については、２００番台の符合を付けている。また、班分け設定データ２１２の設定に関しては、適宜事前に登録が成されるものとする。
【０１０６】
同図に示示すように、親機１２００は、計測データ２０２を各子機１３００に送信したならば（ステップＳ１４）、班分け設定データ２１２を参照し（ステップＳ２００）、全ての班についてループ２を実行する（ステップＳ２０２〜Ｓ２０６）。
【０１０７】
ループ２では、先ず、処理対象の班に属する子機１３００に解析結果データ７０４の送信要求を送信する（ステップＳ２０４）。この送信要求を受信した子機１３００は、解析結果データ７０４を親機１２００に送信する（ステップＳ３０）。
【０１０８】
親機１２００は、子機１３００から解析結果データ７０４を受信して、解析結果データＴＢＬ２０４としてＲＡＭ２０に記憶し（ステップＳ３２）、処理対象の班に属する子機１３００についてグループ判定処理を実行する（ステップＳ３６）。このグループ判定処理によって、１次集計結果２０５−１が生成される。
そして、グループ判定処理を終了したならば、親機１２００は、表示部１４に所定の表示形態でグループデータ２０５を表示し（ステップＳ３８）、教師がグループ名２０５ｃを入力する（ステップＳ４０）。
【０１０９】
ループ２を全ての班について実行したならば、次に班別の集計を実行し、２次集計結果２０５−２を生成する（ステップＳ２０８）。具体的には、１次集計結果２０５−１を参照して各班毎の回帰式のグループに属する子機１３００をカウントして、２次集計結果２０５−２を生成する。そして、表示部１４に所定の表示形態でグループデータ２０５を表示する（ステップＳ２１０）。親機１２００のユーザである教師は、この表示を見て、各班毎における解析の状況を知ることができる。
【０１１０】
次に、親機１２００はグループ通知データ２０９を作成して、子機登録データ２００に登録されている各子機１３００に送信する（ステップＳ４２）。
【０１１１】
各子機１３００は、親機１２００からグループ通知データ２０９を受信し、ＲＡＭ７０に記憶する（ステップＳ４８）。そして、受信したグループ通知データ２０９を所定の表示形態で表示部６４に表示させ（ステップＳ４６）、子機１３００のユーザ（生徒）に通知する。
具体的には、子機１３００は、グループ通知データ２０９を参照して、自機の識別情報に対応する班と、自機の識別情報に対応する回帰式のグループ名と、該グループの回帰式データと、該グループに分類されている他の子機１３００のユーザ名とを表示する。また、所定の操作によって、各班毎の回帰式のグループ別の人数を切り換えて表示する。
【０１１２】
図１７は、本実施の形態における親機１２００の画面表示の一例であって、ステップＳ２０８に相当する。表示画面は、同図（ａ）に示すような１次集計結果２０５−１を見ることができる班毎の集計表示Ｗ１と、同図（ｂ）に示すような２次集計結果２０５−２を見ることのできる集計比較の表示Ｗ２とが、切り換え可能に表示される。
【０１１３】
班毎の集計表示Ｗ１では、画面下部に対応する所定の操作入力キー１２１４（例えば、所謂ファンクションキー）を操作することによって、例えば「前の班」或いは「次の班」に対応するキーを操作して、表示させる班を切り換えることができる。また、所定のキーを操作することによって、集計比較の表示Ｗ２に切り換えることができる。
【０１１４】
図１８は、本実施の形態における子機１３００の画面表示の一例であって、ステップＳ４６に相当する。表示画面は、同図（ａ）に示すような当該子機１３００の班における個人別の集計表示Ｗ３と、同図（ｂ）に示すような２次集計結果２０５−２を見ることのできる集計比較の表示Ｗ４とが、切り換え可能に表示される。
【０１１５】
班毎集計の表示Ｗ３では、画面下部に対応する所定の操作入力キー１２１４（例えば、所謂ファンクションキー）を操作することによって、例えば「他のグループ」を選択操作するごとに、当該子機１３００の回帰式のグループとは異なるグループについて表示させることができる。また、所定のキーを操作することによって、集計比較の表示Ｗ４に切り換えることができる。
【０１１６】
以上の処理によって、子機１３００のユーザである生徒は、この表示を見て自身の解析結果が自分の班ではどのグループに属し、班内の他の人がどのような解析結果を導き出したかを知ることができる。また、他の班の様子を知ることができる。従って、班ごとの他の生徒とのディスカッションが容易に可能となるとともに、他班とのディスカッションも容易になるので、グループ学習をより効率的に進めることができる。
【０１１７】
〔第３の実施の形態〕
次に、図１９〜図２６を参照して、本発明を適用した第３の実施の形態について説明する。本実施の形態は多機能関数電卓でＬＡＮを形成した学習支援システムを、数学の実験授業において使用する場合を例に挙げて説明する。尚、第１及び第２の実施の形態と同様の構成要素については同じ符号を付け、適宜説明は省略するものとする。
【０１１８】
［構成の説明］
図１９は、本実施の形態における学習支援システムの構成の一例を示す図である。本実施の形態における学習支援システム１００２では、教師が使用する学習支援装置に相当する親機１２００と、各生徒が使用する端末装置に相当する子機１３００とがＬＡＮを構成している。
【０１１９】
本実施の形態における親機１２００では、多機能関数電卓１２１０に、コネクタ１２１８で通信中継機能を備えたデータ中継機１２８０が接続されている。
【０１２０】
データ中継機１２８０は、スイッチングハブやブリッジに相当する中継機能を有し、第２コネクタ１２６２にデータ転送ケーブルＫで接続された子機１３００と親機１２００とをデータ通信自在に接続する。即ち、多機能関数電卓１２１０は、データ中継機１２８０をアドレス管理して、一対一又は一対多のデータ通信を実現できる。
【０１２１】
本実施の形態では、教師は事前に『３次関数のグラフを描画せよ』といった問題を出題し、生徒は各人の子機１３００で各々３次関数のグラフを描画して問題を解く。教師は、親機１２００で子機１３００から解答結果データであるグラフデータを収集する。親機１２００は、収集したグラフデータを分類し、この分類結果にしたがって各子機１３００をグループ分けし、グループ分けの結果を各子機１３００に送信する。
【０１２２】
［機能ブロックの説明］
図２０は、本実施の形態における機能構成の一例を示す図である。同図における通信制御部１７は、図１９のコネクタ１２１８及びデータ中継機１２８０が該当する。
【０１２３】
図２１は、本実施の形態における親機１２００のＲＡＭ２０におけるデータ領域の構成の一例を示す図である。同図（ａ）に示すように、本実施の形態ではＲＡＭ２０は、第１の実施の形態における解析結果データＴＢＬ記憶領域２０４Ｒに相当するグラフデータＴＢＬ記憶領域２０１Ｒを備える。また、グループデータ記憶領域２０７Ｒは、第１の実施の形態におけるグループデータ記憶領域２０６Ｒに相当する。
【０１２４】
グラフデータＴＢＬ記憶領域２０１Ｒに記憶されたグラフデータＴＢＬ２０１は、例えば同図（ｂ）に示すように、子機識別情報２０１ａと、子機１３００で描画されたグラフの関数式であるグラフ式データ２０１ｂと、グラフのレンジ等の情報であるグラフレンジ２０１ｃとが対応付けて格納される。
【０１２５】
グループデータ記憶領域２０７Ｒに記憶されたグループデータ２０７は、例えば同図（ｃ）に示すように、子機識別情報２０７ａと、グラフ式データ２０１ｂの分類に基づくグループ識別情報２０７ｂとを対応付けて格納する。
【０１２６】
図２２は、本実施の形態における親機１２００のＲＯＭ２２におけるデータ領域の構成の一例を示す図である。同図（ａ）に示すように、本実施の形態ではＲＯＭ２２は、第１の実施の形態における解析結果データ取得プログラム２２６に相当するグラフデータ取得プログラム２２１を記憶している。ＣＰＵ１０は、グラフデータ取得プログラム２２１を読み出し実行することによって、子機１３００からグラフデータを受信し、グラフデータＴＢＬ２０１としてＲＡＭ２０に記憶させる機能を実現する。
【０１２７】
また、子機１３００から取得したグループデータを分類し、グループ分けするための判定基準を関数の種類毎に格納するグループ判定条件データ２３２を記憶している。例えば、同図（ｂ）に示すように、３次関数の場合、関数式のグループ識別情報２３２ａと、３次関数の根数２３２ｂと、３次関数のグラフが正負何れの特性を有するかを示すグラフタイプ２３２ｃとを対応付けて格納する。
【０１２８】
図２３（ａ）は、本実施の形態における子機１３００のＲＡＭ７０のデータ領域の構成の一例を示す図である。同図に示すように、本実施の形態ではＲＡＭ７０は、第１の実施の形態における解析結果データ記憶領域７０４Ｒに相当するグラフデータ記憶領域７０１Ｒと、第１の実施の形態におけるグループ通知データ記憶領域７０６Ｒに相当するグループ通知データ記憶領域７０７Ｒとを備える。
【０１２９】
グラフデータ記憶領域７０１Ｒに記憶されたグラフデータ７０１は、例えば同図（ｂ）に示すように、子機１３００で描画されたグラフの関数式であるグラフ式７０１ａと、グラフのレンジ等の情報であるグラフレンジ２０１ｃとを対応付けて格納する。
【０１３０】
グループ通知データ記憶領域７０７Ｒに記憶されたグループ通知データ７０７は、例えば同図（ｃ）に示すように、グループ識別情報７０７ａと、子機識別情報７０７ｂと、ユーザ名７０７ｃと、グラフ式データ７０７ｄとを対応付けて格納する。
【０１３１】
図２３（ｄ）は、本実施の形態における子機１３００のＲＯＭ７２のデータ領域の構成の一例を示す図である。同図に示すように、本実施の形態では第１の実施の形態におけるグラフ生成プログラム７２６に相当する関数グラフ生成プログラム７２７と、第１の実施の形態における解析結果データ送信プログラム７２８に相当するグラフデータ送信プログラム７２９とを記憶している。
【０１３２】
関数グラフ生成プログラム７２７は、ＣＰＵ６０に種々の関数グラフを描画させるための機能を実現させる。また、グラフデータ送信プログラム７２９は、グラフデータ７０１を親機１２００に送信する機能を実現させる。
【０１３３】
［処理の流れの説明］
図２４は、本実施の形態における処理の流れを説明するためのフローチャートである。尚、本実施の形態において特徴的である処理については、３００番台の符合を付けている。
【０１３４】
同図に示すように、親機１２００及び子機１３００は、先ず子機登録のための一連の処理を実行する（ステップＳ２〜Ｓ８）。
【０１３５】
子機登録したならば、子機１３００は、ユーザ（生徒）の操作入力に従って教師の出題に対する３次関数のグラフを作成し、表示部６４に表示する（ステップＳ３００）。作成した３次関数の式をグラフ式７０１ａ、グラフ表示のための座標設定情報をグラフレンジ７０１ｂとしてグラフデータ７０１をＲＡＭ７０に記憶する。
【０１３６】
次に、親機１２００は、子機登録データ２００に登録されている全ての子機１３００に対してループ３を実行する（ステップＳ３０２〜Ｓ３１０）。
【０１３７】
ループ３では、処理対象の子機１３００にグラフデータ７０１の送信要求を送信する（ステップＳ３０４）。この送信要求を受信した子機１３００は、親機１２００にグラフデータ７０１を送信する（ステップＳ３１２）。
【０１３８】
親機１２００は、子機１３００からグラフデータ７０１を受信し、グラフデータＴＢＬ２１０に格納する（ステップＳ３０６）。そして、グループ判定処理を実行する（ステップＳ３０８）。
具体的には、グループ判定条件データ２３２の判定条件を参照して、子機１３００から受信したグラフデータ７０１のグラフ式７０１ａを分類し、この分類結果に従って当該子機１３００をグループ分けする。例えば、図２５のグラフ式の場合では、グループ判定条件データ２３２に従って同図に示すように分類される。そして、グループデータ２０７に、処理対象の子機１３００の子機識別情報２０７ａとグループ識別情報２０７ｂとを対応づけて登録する。
【０１３９】
全ての子機１３００についてループ３を実行したならば、親機１２００はグループ分けの結果を表示部１４に表示させる（ステップＳ３８）。この表示を見て、教師は生徒がどのような解答をしてきたかを確認することができる。
【０１４０】
次に、親機１２００はグループ通知データ２０８を生成し、子機１３００に送信する（ステップＳ４２）。子機１３００は、グループ通知データ２０８を受信して、グループ通知データ７０７としてＲＡＭ７０に記憶し（ステップＳ４４）、グループ通知データ７０７を所定の表示形態で表示部６４に表示させ（ステップＳ４６）、子機１３００のユーザ（生徒）に通知する。
【０１４１】
図２６は、本実施の形態における子機１３００の画面表示の一例を示す図であって、ステップＳ４６に相当する。表示画面は、同図（ａ）に示すような当該子機１３００の属するグループについての情報の表示Ｗ５と、同図（ｂ）に示すような当該子機１３００とは異なるグループについての情報の表示Ｗ６とが、切り換え可能に表示される。
【０１４２】
具体的には、表示Ｗ５では、グループ通知データ７０７に基づいて、例えば当該子機１３００のグラフ式５ａと、当該子機１３００のグラフ式が属するグループ５ｂと、同グループに属する他の生徒の人数５ｃと、同グループに属するユーザ名５ｄ及びグラフ式５ｅが表示される。また、画面下部に対応する所定の操作入力キー１２１４（例えば、所謂ファンクションキー）を操作することによって、例えば「他のＧｒ．」を操作するごとに表示Ｗ６に表示を切り換えることができる。
表示Ｗ６では、他のグループ６ａと当該グループの人数６ｂと、当該グループに属するユーザ名６ｃ及びグラフ式６ｄとが表示される。
【０１４３】
子機１３００のユーザ（生徒）は、これらの表示を見ることによって、自分と同様の種類の３次関数のグラフを描画した生徒が誰で、異なる種類のグラフを描画した生徒が誰かを簡単に知ることができる。
【０１４４】
〔変形例の説明〕
以上、本発明を適用した第１〜第３の実施の形態について説明したが、本発明の適用がこれらに限定されるものではなく、発明の趣旨を逸脱しない限りにおいて、適宜構成要素の追加・省略・変更をして構わない。
【０１４５】
例えば、適用される教科は理科実験や数学に限らず、他の教科であっても構わない。例えば、教師が出題した日本語を生徒が子機１３００で英訳し、その結果を親機１２００に送信するとしても良い。
【０１４６】
また、第１の実施の形態では、親機が代表して計測した計測データ２０２を全ての子機１３００が等しく使用し解析する構成としたが、子機１３００それぞれがデータ収集機１２５０を備え、各個に計測データを実験で取得する構成としても良い。この場合は、回帰式の分類は式の種類（直線・対数・指数などの大分類）だけではなく、例えば回帰式が直線式であれば、変数Ｘの係数の大きさによって分類するといった、より細かな分類を行うと好適である。
具体的には、同じように見える水と水以外の液体を、違いが有ることを告げずに教師が配り、生徒には直線式で回帰式を求めさせ分類させる。ここで変数Ｘの係数に基づく分類から、なぜ違いが生じたかをグループで考察させるといった、学習形式も効率的に実現できる。
【０１４７】
【発明の効果】
請求項１又は９に記載の発明によれば、学習支援装置は収集手段を使って計測データを収集し、通信回線を介して接続されている複数の子機に対してこの計測データを配信（送信）する事ができる。そして、子機から配信した計測データの解析結果情報を集めて解析結果を分類し、この分類に基づいて子機をグループ分けすることができる。そして更に、このグループ分けの結果を各子機に送信することによって、各子機にグループ学習に有益な情報を提供することができる。これによって、子機側から見みると、どの子機で同様の解析をしどの子機で異なる解析結果に達しているかを知ることができるので、グループ学習がし易くなる。
【０１４８】
また、請求項２に記載の発明によれば、更にグループ分けの際、解析結果のグラフを描画するためのグラフデータを比較することによって解析結果を分類することによって、解析結果として求められたグラフの特徴に基づいて子機を分類することができる。
【０１４９】
また、請求項３又は１０に記載の発明によれば、子機を予めグループ分けして登録し、グループ毎に解析結果の集計をし、集計結果を子機に送信することによって、同じグループ（班）における解析結果の違いについて知ることができるので、グループ学習を効率的に進めることが可能となる。
【０１５０】
また、請求項４に記載の発明によれば、グループ毎の集計結果を更にグループ間で比較するための２次集計をすることによって、グループ単位での解析結果の違いについて知ることができるので、グループ学習をより広範囲にわたって進めることができる。
【０１５１】
また、請求項５に記載の発明によれば、更に子機で生成したグラフデータを分類し、この分類に基づいて子機をグループ分けすることによって、どの子機で同様のグラフを作成し、どの子機で異なるグラフを生成したかを子機に知らせることができるので、グループ学習がし易くなる。
【０１５２】
また、請求項６に記載の発明によれば、請求項１〜５の何れか一項に記載の発明と同様の効果を学習支援システムで実現することができる。
【０１５３】
また、請求項７又は１１に記載の発明によれば、子機で生成したグラフデータを受信して分類し、この分類に基づいて子機をグループ分けすることができる。そして更に、このグループ分けの結果を各子機に送信することができる。これによって、子機のユーザは、学習支援装置から送られたグループ分けの結果を参照することによって、どの子機で同様のグラフを作成し、どの子機で異なるグラフを生成したかを知ることができるので、グループ学習がし易くなる。
【０１５４】
そして、請求項８に記載の発明によれば、請求項７に記載の発明と同様の効果を学習支援システムで実現することができる。
【図面の簡単な説明】
【図１】第１の実施の形態における構成の一例を示した図。
【図２】第１の実施の形態における親機の機能構成の一例を示す機能ブロック図。
【図３】（ａ）第１の実施の形態における多機能関数電卓１２１０のＲＡＭ２０の記憶領域の構成の一例を示す図。（ｂ）第１の実施の形態における多機能関数電卓１２１０のＲＯＭ２２の記憶領域の構成の一例を示す図。
【図４】（ａ）第１の実施の形態における子機登録データの一例を示す図。（ｂ）第１の実施の形態における計測データの一例を示す図。（ｃ）第１実施の形態における解析結果データＴＢＬの一例を示す図。
【図５】（ａ）第１の実施の形態におけるグループデータの一例を示す図。（ｂ）第１の実施の形態におけるグループ通知データの一例を示す図。
【図６】（ａ）第１の実施の形態におけるデータ収集機１２５０のＲＡＭ５０の記憶領域の構成の一例を示す図。（ｂ）第１の実施の形態における計測値の一例を示す図。（ｃ）第１の実施の形態における計測データの一例を示す図。
【図７】第１の実施の形態における子機の機能構成の一例を示す機能ブロック図。
【図８】（ａ）第１の実施の形態における子機１３００のＲＡＭ７０の記憶領域の構成の一例を示す図。（ｂ）第１の実施の形態におけるユーザ登録データ７００の一例を示す図。（ｃ）第１の実施の形態における解析結果データ７０４の一例を示す図。（ｄ）第１の実施の形態における子機１３００のＲＯＭ７２の記憶領域の構成の一例を示す図。
【図９】第１の実施の形態における処理の流れを説明するためのフローチャート。
【図１０】第１の実施の形態におけるグループ判定処理の流れを説明するためのフローチャート。
【図１１】第１の実施の形態における子機１３００の画面表示の一例を示す図。
【図１２】第１の実施の形態における画面表示の例を示す図。
【図１３】（ａ）第２実施の形態におけるＲＡＭ２０の記憶領域の構成の一例を示す図。
（ｂ）第２実施の形態における班分け設定データの一例を示す図。
【図１４】第２の実施の形態におけるグループデータの一例を示す図。
【図１５】第２の実施の形態におけるグループ通知データの一例を示す図。
【図１６】第２の実施の形態における処理の流れを説明するためのフローチャート。
【図１７】第２の実施の形態における親機の画面表示の一例を示す図。
【図１８】第２の実施の形態における子機の画面表示の一例を示す図。
【図１９】第３の実施の形態における学習支援システムの構成の一例を示す図。
【図２０】第３の実施の形態における機能構成の一例を示す図。
【図２１】第３の実施の形態における親機１２００のＲＡＭ２０におけるデータ領域の構成の一例を示す図。
【図２２】第３の実施の形態における親機１２００のＲＯＭ２２におけるデータ領域の構成の一例を示す図。
【図２３】（ａ）第３の実施の形態における子機１３００のＲＡＭ７０のデータ領域の構成の一例を示す図。（ｂ）第３の実施の形態におけるグラフデータＴＢＬの一例を示す図。（ｃ）第３の実施の形態におけるグループ通知データの一例を示す図。（ｄ）第３の実施の形態における子機１３００のＲＯＭ７２のデータ領域の構成の一例を示す図。
【図２４】第３の実施の形態における処理の流れを説明するためのフローチャート。
【図２５】グループ判定条件データに従ったグラフ式の分類の例を示す図。
【図２６】第３の実施の形態における子機１３００の画面表示の一例を示す図。
【符合の説明】
２０  ＲＡＭ
２００  子機登録データ
２０１  グラフデータＴＢＬ
２０２  計測データ
２０４  解析結果データＴＢＬ
２０５  グループデータ
２０５−１  １次集計結果
２０５−２  ２次集計結果
２０６，２０７  グループデータ
２０８，２０９  グループ通知データ
２０９−１  １次集計結果
２０９−２  ２次集計結果
２１０  グラフデータＴＢＬ
２１２  班分け設定データ
２２  ＲＯＭ
２２０  子機登録プログラム
２２１  グラフデータ取得プログラム
２２２  計測データ取得プログラム
２２４  計測データ送信プログラム
２２６  解析結果データ取得プログラム
２２８  グループ判定プログラム
２３０  グループ通知データ送信プログラム
２３２  グループ判定条件データ
７０  ＲＡＭ
７００  ユーザ登録データ
７０１  グラフデータ
７０４  解析結果データ
７０６，７０７  グループ通知データ
７２  ＲＯＭ
７２０  子機登録プログラム
７２１  関数グラフ生成プログラム
７２２  計測データ受信プログラム
７２４  データ解析プログラム
７２５  回帰式算出プログラム
７２６  グラフ生成プログラム
７２７  関数グラフ生成プログラム
７２８  解析結果データ送信プログラム
７２９  グラフデータ送信プログラム
７３０  グループ通知受信プログラム
７３２  グループ通知表示プログラム
１０００，１００２  学習支援システム
１２００  親機
１２１０  多機能関数電卓
１２５０  データ収集機
１２５８  計測プローブ
１２６０  第１コネクタ
１２６２  第２コネクタ
１２８０  データ中継機
１３００  子機
Ｋ  データ転送ケーブル
Ｌ  回帰曲線
Ｐ  プロット点
Ｄ  液体
【図１】
2004354725.tif 000003
【図２】
2004354725.tif 000004
【図３】
2004354725.tif 000005
【図４】
2004354725.tif 000006
【図５】
2004354725.tif 000007
【図６】
2004354725.tif 000008
【図７】
2004354725.tif 000009
【図８】
2004354725.tif 000010
【図９】
2004354725.tif 000011
【図１０】
2004354725.tif 000012
【図１１】
2004354725.tif 000013
【図１２】
2004354725.tif 000014
【図１３】
2004354725.tif 000015
【図１４】
2004354725.tif 000016
【図１５】
2004354725.tif 000017
【図１６】
2004354725.tif 000018
【図１７】
2004354725.tif 000019
【図１８】
2004354725.tif 000020
【図１９】
2004354725.tif 000021
【図２０】
2004354725.tif 000022
【図２１】
2004354725.tif 000023
【図２２】
2004354725.tif 000024
【図２３】
2004354725.tif 000025
【図２４】
2004354725.tif 000026
【図２５】
2004354725.tif 000027
【図２６】
2004354725.tif 000028